(57)【要約】【課題】チェーンリンク同士を連結する連結ピンの剪断強度を上げることができるチェーン及び汚泥掻寄機を提供することを目的とする。【解決手段】チェーンリンク２２の両側の端部に、同一形状のチェーンリンク２２を相互に連結するための凸部２２ａを幅方向に沿って２個以上離間してそれぞれ設けると共に、これらの両側の凸部２２ａを平面視において幅方向に沿って千鳥状に配列し、一のチェーンリンク２２の一方側の端部の凸部２２ａ，２２ａ同士の間に、隣のチェーンリンク２２の他方側の凸部２２ａを進入させ、これらの凸部２２ａに連結ピン２１を通し互いに回転可能に連結する構成を採用することで、剪断力が作用する凸部２２ａ，２２ａ同士の幅方向の合わせ面（対向面）Ｘを従来の２箇所から増やし、これにより、連結ピン２１に作用する剪断力を従来に比して分散し、その結果、連結ピン２１の剪断強度を上げる。【選択図】図４
2015016432.tif 000002
【特許請求の範囲】
【請求項１】
複数の同一形状のチェーンリンクを連結ピンにより相互に連結したチェーンであって、
前記チェーンリンクは、長手方向の両側の端部に、当該チェーンリンクの幅方向に沿って凹凸が並ぶ凹凸部を備えると共に、片側の端部に、前記凸部を２個以上それぞれ備え、
平面視において両側の凸部は前記幅方向に沿って千鳥状に配列されると共に、前記凸部には、前記連結ピンを通すためのピン孔が前記幅方向に貫通して設けられ、
一のチェーンリンクの一方側の端部の凸部同士の間に、隣のチェーンリンクの他方側の凸部が進入し、前記凸部の前記ピン孔に前記連結ピンが通されることによって、前記一のチェーンリンクと前記隣のチェーンリンクが前記連結ピンにより回動可能に連結されることを特徴とするチェーン。
【請求項２】
複数のホイールに掛け回され槽内を周回移動する無端チェーンとして請求項１記載のチェーンを一対備え、
前記一対の無端チェーンに周回方向に沿って複数のフライトが取り付けられ、
前記ホイールの回転により前記一対の無端チェーンが周回移動し、
前記フライトが前記槽の底に沿って移動することで前記槽の底に堆積した堆積物を掻き寄せることを特徴とする汚泥掻寄機。
【請求項３】
前記ホイールは、当該ホイールの回転力を前記チェーンリンクに伝達するための係合ピンを複数備えたピンホイールを具備し、
前記チェーンリンクは、その底側に、凹状のノッチを前記長手方向に離間して２個備え、
前記無端チェーンが前記ピンホイールに掛け回されている箇所において前記チェーンリンクの前記２個のノッチのそれぞれに対して前記ピンホイールの前記係合ピンが１個ずつ進入し、何れか一方の係合ピンとこの係合ピンが進入するノッチとが前記ピンホイールの回転方向に係合することを特徴とする請求項２記載の汚泥掻寄機。
【請求項４】
前記ピンホイールの正転又は逆転時に、一のチェーンリンクのノッチのうち前記無端チェーンの周回方向である進行方向において上流側のノッチとこのノッチに進入する係合ピンとが前記ピンホイールの回転方向に係合し、前記一のチェーンリンクのノッチのうち下流側のノッチとこのノッチに進入する係合ピンとの間において前記ピンホイールの回転方向に隙間を有することを特徴とする請求項３記載の汚泥掻寄機。
【請求項５】
前記無端チェーンが前記ピンホイールに掛け回されている箇所において当該無端チェーンの外周面が、円弧状を成していることを特徴とする請求項３又は４記載の汚泥掻寄機。
【請求項６】
前記チェーンリンクの側面に、前記フライトがボルト締結されていることを特徴とする請求項２〜５の何れか一項に記載の汚泥掻寄機。
【発明の詳細な説明】
【技術分野】
【０００１】
本発明はチェーン及びこれを備えた汚泥掻寄機に関する。
【背景技術】
【０００２】
従来、汚泥を掻き寄せる汚泥掻寄機として、以下の特許文献１に記載の汚泥掻寄機が知られている。この汚泥掻寄機に使用されるチェーンの一部を示したのが図６である。ここで用いられるチェーン５０は、同一形状の樹脂製のチェーンリンク（リンクプレート）５１を多数連結し無端状に構成した無端チェーンであり、チェーンリンク５１は、一方側の幅方向（図示上下方向）中央において長手方向外側（図示左側）へ突出する凸部５２を備えると共に、他方側の幅方向両側において長手方向外側（図示右側）へ突出する凸部５３，５３を備え、これらの凸部５２，５３には、連結ピン５４を通すためのピン孔５５が幅方向に貫通して設けられる。また、チェーンリンク５１の底面には、紙面奥側に凹むノッチと称される凹部５６が設けられる。
【０００３】
そして、複数のチェーンリンク５１が同一方向を向くように並べられ、一のチェーンリンク５１の凸部５３，５３同士の間に、隣のチェーンリンクの凸部５２が進入し、凸部５２，５３のピン孔５５に連結ピン５４が通されることによって隣り合うチェーンリンク５１，５１同士が連結ピン５４により回動可能に連結されて無端チェーン５０が形成される。
【０００４】
このような無端チェーン５０は、汚泥掻寄機を構成する複数のホイールに掛け回され、ピンホイール（駆動スプロケット）に掛け回されている箇所においては、チェーンリンク５１のノッチ５６にピンホイールの係合ピンが進入し、当該係合ピンとノッチ５６とがピンホイールの回転方向に係合することによって、チェーンリンク５１にピンホイールの回転力が伝達され、無端チェーン５０が所定の周回軌道を周回する。そして、このようなチェーンリンク５１，５１同士を連結する連結ピン５４に対する剪断力は、凸部５２，５３同士の合わせ面である２箇所に作用する（図示一点鎖線の囲みＸ参照）。
【先行技術文献】
【特許文献】
【０００５】
【特許文献１】特開２００９−２４１０２２号公報
【発明の概要】
【発明が解決しようとする課題】
【０００６】
ここで、最近にあっては、チェーンリンク５１，５１同士を連結する連結ピン５４が破断しないこと、又、曲がらないことが望まれている。特に、チェーンリンク５１、連結ピン５４が樹脂製の場合には、ステンレス製に比して剛性が低いため、連結ピン５４が破断しないように、又、曲がらないように、連結ピン５４の径及び材質を変えずに剪断強度を上げることが望まれている。
【０００７】
そこで、本発明は、チェーンリンクを連結する連結ピンの剪断強度を上げることができるチェーン及び汚泥掻寄機を提供することを目的とする。
【課題を解決するための手段】
【０００８】
本発明によるチェーンは、複数の同一形状のチェーンリンクを連結ピンにより相互に連結したチェーンであって、チェーンリンクは、長手方向の両側の端部に、当該チェーンリンクの幅方向に沿って凹凸が並ぶ凹凸部を備えると共に、片側の端部に、凸部を２個以上それぞれ備え、平面視において両側の凸部は幅方向に沿って千鳥状に配列されると共に、凸部には、連結ピンを通すためのピン孔が幅方向に貫通して設けられ、一のチェーンリンクの一方側の端部の凸部同士の間に、隣のチェーンリンクの他方側の凸部が進入し、凸部のピン孔に連結ピンが通されることによって、一のチェーンリンクと隣のチェーンリンクが連結ピンにより回動可能に連結されることを特徴としている。
【０００９】
このようなチェーンによれば、チェーンリンクの両側の端部に、同一形状のチェーンリンクを相互に連結するための凸部が幅方向に沿って２個以上離間してそれぞれ設けられると共に、これらの両側の凸部は平面視において幅方向に沿って千鳥状に配列され、一のチェーンリンクの一方側の端部の凸部同士の間に、隣のチェーンリンクの他方側の凸部が進入し、これらの凸部に連結ピンが通されて互いに回転可能に連結される構成のため、剪断力が作用する凸部同士の幅方向の合わせ面（対向面）が従来の２箇所から増やされ、これにより、連結ピンに作用する剪断力が従来に比して分散され、その結果、連結ピンの剪断強度を上げることができる。
【００１０】
また、本発明による汚泥掻寄機は、複数のホイールに掛け回され槽内を周回移動する無端チェーンとして上記のチェーンを一対備え、一対の無端チェーンに周回方向に沿って複数のフライトが取り付けられ、ホイールの回転により一対の無端チェーンが周回移動し、フライトが槽の底に沿って移動することで槽の底に堆積した堆積物を掻き寄せることを特徴としている。
【００１１】
このような汚泥掻寄機によれば、上記作用を奏するチェーンを備えた汚泥掻寄機を提供できる。
【００１２】
ここで、上記作用を好適に奏する汚泥掻寄機としては、具体的には、ホイールは、当該ホイールの回転力をチェーンリンクに伝達するための係合ピンを複数備えたピンホイールを具備し、チェーンリンクは、その底側に、凹状のノッチを長手方向に離間して２個備え、無端チェーンがピンホイールに掛け回されている箇所においてチェーンリンクの２個のノッチのそれぞれに対してピンホイールの係合ピンが１個ずつ進入し、何れか一方の係合ピンとこの係合ピンが進入するノッチとがピンホイールの回転方向に係合する構成が挙げられる。このような構成を採用した場合、何れか一方の係合ピンがノッチに対してピンホイールの回転方向に係合するため、ピンホイールの回転力を確実にチェーンリンクに伝達できる。
【００１３】
また、ピンホイールの正転又は逆転時に、一のチェーンリンクのノッチのうち無端チェーンの周回方向である進行方向において上流側のノッチとこのノッチに進入する係合ピンとがピンホイールの回転方向に係合し、一のチェーンリンクのノッチのうち下流側のノッチとこのノッチに進入する係合ピンとの間においてピンホイールの回転方向に隙間を有する構成とするのが好ましい。
【００１４】
このような構成を採用した場合、一のチェーンリンクのノッチのうち進行方向上流側のノッチに対して係合ピンがピンホイールの回転方向に係合するため、ピンホイールの回転力を進行方向上流側のノッチを介して確実にチェーンリンクに伝達できる。ここで、ピンホイールの正転又は逆転時の何れの時であっても、一のチェーンリンクのノッチのうち進行方向上流側のノッチに係合ピンが係合したときに当該チェーンリンクの進行方向下流側が持ち上がろうとする力の方が、一のチェーンリンクのノッチのうち進行方向下流側のノッチに係合ピンが係合したときに当該チェーンリンクの進行方向下流側が持ち上がろうとする力より小さい。このため、無端チェーンがピンホイールに掛け回されている箇所において当該無端チェーンの歯飛び現象（脱輪）を防止すべく当該無端チェーンを覆うようにチェーンガードが設けられている場合、上述のように、一のチェーンリンクの進行方向上流側のノッチに係合ピンが係合することから、チェーンガードに対して作用する一のチェーンリンクの持ち上がり力は小さく、従って、当該チェーンガードにより無端チェーンを良好且つ好適に押えることができる。
【００１５】
また、無端チェーンがピンホイールに掛け回されている箇所において当該無端チェーンの外周面が、円弧状を成していると、無端チェーンがピンホイールに掛け回されている箇所において当該無端チェーンを覆うように設けられ円弧状の内面を有するチェーンガードによって、無端チェーンの円弧状の外周面を容易に押えることができる。
【００１６】
また、チェーンリンクの側面に、フライトがボルト締結されているのが好ましい。このような構成を採用した場合、フライトがチェーンリンクの上面からではなく側面から出ているため、無端チェーンの周回移動時において、チェーンリンクを押えるためのチェーンガードに対するフライトの干渉を確実に防止できる。
【発明の効果】
【００１７】
本発明によれば、チェーンリンクを連結する連結ピンの剪断強度を上げることができるチェーン及び汚泥掻寄機を提供できる。
【図面の簡単な説明】
【００１８】
【図１】本発明の実施形態に係るチェーンを備えた汚泥掻寄機を示す概略側面図である。
【図２】図１中のピンホイール及び当該ピンホイールに掛け回されたチェーンを示す側面図である。
【図３】図２中の要部の拡大図である。
【図４】図２中の相互に連結したチェーンリンク及びチェーンリンクに取り付けられたフライトを示す平面図である。
【図５】図２〜図４中のチェーンリンクを示す図である。
【図６】従来技術に係るチェーンリンクを連結したチェーンの一部を底面側から見た図である。
【発明を実施するための形態】
【００１９】
以下、本発明によるチェーンを備えた汚泥掻寄機の好適な実施形態について図面を参照しながら説明する。図１は、本発明の実施形態に係るチェーンを備えた汚泥掻寄機を示す概略側面図、図２は、ピンホイール及び当該ピンホイールに掛け回された無端チェーンを示す側面図、図３は、図２中の要部の拡大図である。
【００２０】
図１に示すように、汚泥掻寄機１００は、４軸タイプのチェーンフライト式の汚泥掻寄機であり、例えば下水処理場の沈殿池等を始めとした槽１の内部に設置される。
【００２１】
槽１は、横長に構成され、図１の左側から汚水が供給される。槽１の底１Ｂで汚水供給側の端部には、汚泥収集ピット１Ｃが設けられ、この汚泥収集ピット１Ｃに対して、汚泥を外部に排出するための排出管１Ｄが設けられる。槽１の水面１Ａ付近で槽１の略中央部には、軸周りに回転可能なスカムパイプ９が槽１の幅方向（紙面垂直方向）全域に亘って設けられる。このスカムパイプ９は、周面に軸線方向（紙面垂直方向）に延び上方に開口された開口部を備え、横断面形状がＣ字状を成している。そして、スカムパイプ９は水面１Ａに浮遊する浮遊物（スカム）を回収すべく、開口部が水面１Ａ下に位置するように適宜図１の反時計回りに回転し、その後戻る動作を繰り返す。
【００２２】
汚泥掻寄機１００は、槽１内を長手方向に周回移動する無端チェーン（チェーン）２を備えており、この無端チェーン２は、槽１の幅方向に対向して一対が設けられる。フライト（掻寄羽根）１０は、槽１の幅方向に延在し槽１の側壁近傍まで延びるチャンネル状に構成され、無端チェーン２の周回方向に沿って複数が配置され当該無端チェーン２に取り付けられる（詳しくは後述）。
【００２３】
この汚泥掻寄機１００にあっては、槽１の底１Ｂ上で汚泥収集ピット１Ｃとは反対側（図示右側）に第１従動軸３が設けられ、底１Ｂ上で汚泥収集ピット１Ｃ寄りの位置に第２従動軸４が設けられる。第１従動軸３には、両端に一対のシーブホイール（歯・ピンがないホイール）３Ａがそれぞれ取り付けられて固定され、第２従動軸４には、両端に一対のシーブホイール４Ａがそれぞれ取り付けられて固定されている。
【００２４】
また、汚泥掻寄機１００にあっては、槽１の水面１Ａ下で第２従動軸４の上方に駆動軸５が設けられ、水面１Ａ下でスカムパイプ９より多少上流側（図示左側）の位置に第３従動軸６が設けられる。駆動軸５には、両端に一対のピンホイール５Ａがそれぞれ取り付けられて固定され、第３従動軸６には、両端に一対のシーブホイール６Ａがそれぞれ取り付けられて固定されている。
【００２５】
ピンホイール５Ａは、図２に示すように、円板状のホイールの外周面から径方向に突出し周方向に沿って多数が離間して並設される支持部に、槽１の幅方向（紙面垂直方向）に延びる軸心を有する係合ピン３０を取り付けたものであり、この係合ピン３０を介してピンホイール５Ａの回転力を無端チェーン２に伝達する。
【００２６】
そして、これらのホイール３Ａ〜６Ａ及び係合ピン３０並びに軸３〜６は樹脂製とされ、軸３〜６は回転可能に支持される。
【００２７】
図１に示すように、無端チェーン２は、上記各ホイール３Ａ〜６Ａに掛け回され、無端チェーン２の一部が水面１Ａに沿うように張設されると共に、無端チェーン２の一部が槽１の底１Ｂに沿うように張設される。また、シーブホイール６Ａ，３Ａ間には、無端チェーン２のカテナリー部１５が形成される。このカテナリー部１５では、シーブホイール６Ａからシーブホイール３Ａに向けて無端チェーン２が傾斜し撓みながら垂下する。
【００２８】
なお、駆動軸５と第３従動軸６との間には、駆動軸５側から第３従動軸６側に向かって移動するフライト１０を載置し、水平方向に滑らせながら案内するための一対のリターンレールＲが設けられ、第３従動軸６の下方位置と第１従動軸３との間には、上記カテナリー部１５から第１従動軸３側に向かって移動するフライト１０を載置し、水平方向に滑らせながら案内するための一対のガイドレールＧが設けられる。これらのリターンレールＲ及びガイドレールＧはそれぞれ、無端チェーン２より槽１の幅方向外側の位置で互いに幅方向に対向し、水平方向に延在するように設けられる。
【００２９】
さらに、汚泥掻寄機１００にあっては、駆動軸５のピンホイール５Ａより軸線方向外側（槽１の幅方向外側）の一端にモータ用ピンホイール５Ｂが取り付けられて固定され、この駆動軸５の上方の槽上壁に、駆動軸５を回転駆動するためのモータ７が設置される。そして、モータ７の出力軸に取り付けられて固定されたモータ用ピンホイール７Ａと、駆動軸５のモータ用ピンホイール５Ｂとの間に、駆動用チェーン８が掛け回されている。なお、ピンホイール５Ｂ，７Ａはスプロケットであっても良い。
【００３０】
次に、無端チェーン２について詳説する。
【００３１】
本実施形態の無端チェーン２は、図２に示すように、複数の同一形状の樹脂製のチェーンリンク２２を多数連ねて無端状に連結したチェーンであり、各チェーンリンク２２は、両隣のチェーンリンク２２に対して樹脂製の連結ピン２１により回動可能に連結される。
【００３２】
次に、チェーンリンク２２について詳説する。図５は、チェーンリンクを示す図であり、（ａ）は平面図、（ｂ）は横断面図、（ｃ）は底面図である。
【００３３】
チェーンリンク２２は、その長手方向（図示左右方向）の両側の端部に、当該チェーンリンク２２の幅方向（図５（ａ）、図５（ｃ）の上下方向）に沿って凹凸が繰り返す凹凸部をそれぞれ備え、この凹凸部中の凸部２２ａは、片側の端部につき２個以上設けられている。ここでは、一方側の端部（図示左側の端部）には凸部２２ａが３個、他方側の端部（図示右側の端部）には凸部２２ａが２個設けられている。これらの両側の凸部２２ａは全体が、平面視において幅方向に沿って千鳥状に配列される（図５（ａ）、図５（ｃ）参照）。そして、各凸部２２ａには、連結ピン２１を通すためのピン孔２２ｂが、幅方向に貫通し同軸にそれぞれ設けられる。
【００３４】
両側の凸部２２ａ，２２ａ間の中間部は、これらの凸部２２ａを繋ぐブロック体であり、上方に突出し幅方向に延びる山型部２２ｃを長手方向に３個並設したものを主体として備える。この山型部２２ｃの幅方向両側には、平板部２２ｄがチェーンリンク２２の側面を構成するようにそれぞれ設けられると共に、山型部２２ｃの幅方向中央側には、平板部２２ｄが山型部２２ｃの幅方向の途中に３箇所介在するように並設されている。これらの平板部２２ｄは山型部２２ｃを補強するものである。そして、これらの山型部２２ｃ及び平板部２２ｄには、ボルト４０（詳しくは後述）が挿通するボルト孔２２ｅが、幅方向に貫通してそれぞれ設けられる。
【００３５】
また、チェーンリンク２２の底面には、下方に開放され奥側に凹むノッチ２２ｆが、長手方向に離間して２個設けられる。このノッチ２２ｆは、詳しくは後述するピンホイール５Ａの係合ピン３０が進入し係合し得る形状・大きさに構成される。具体的には、図示左側のノッチ２２ｆの右側部分及び図示右側のノッチ２２ｆの左側部分は、係合ピン３０が係合し得る円弧面２２ｇとされている。
【００３６】
なお、ここでは、図示左側のノッチ２２ｆの左側部分はそのまま左側外部に連通して開放され、図示右側のノッチ２２ｆの右側部分はそのまま右側外部に連通して開放されているが、後述の作用を同様に奏すれば、両方とも外部に連通せずに閉じられている凹部であっても良い。なお、ノッチ２２ｆ，２２ｆ同士の間に設けられ下方に開放される凹部２２ｈは、肉ひけ防止用の凹部である。
【００３７】
図４は、相互に連結したチェーンリンクを示す平面図であり、実線で示す一のチェーンリンク２２の一方側の端部の凸部２２ａ，２２ａ同士の間に、仮想線で示す隣のチェーンリンク２２の他方側の凸部２２ａａが進入し、凸部２２ａのピン孔２２ｂに連結ピン２１が通されることによって、一のチェーンリンク２１と隣のチェーンリンク２１が連結ピン２１により回動可能に連結される。
【００３８】
そして、多数のチェーンリンク２２を無端状に連結した無端チェーン２は、上記各ホイール３Ａ〜６Ａに掛け回され、図２に示すように、無端チェーン２がピンホイール５Ａに掛け回されている箇所においては、一のチェーンリンク２２の２個のノッチ２２ｆ，２２ｆのそれぞれに対してピンホイール２２の係合ピン３０が１個ずつ進入している。
【００３９】
そして、図３に示すように、ピンホイール５Ａの正転時にあっては（無端チェーン２が図１の矢印方向に進行する場合には）、一のチェーンリンク２２のノッチ２２ｆ，２２ｆのうち無端チェーン２の周回方向である進行方向において上流側のノッチ（図３の左側のノッチ）２２ｆの円弧面２２ｇとこのノッチ２２ｆに進入する係合ピン３０とがピンホイール５Ａの回転方向（図２の時計回り）に係合すると共に、当該係合ピン３０のピンホイール５Ａの逆回転方向側には、隙間Ｓが設けられている。
【００４０】
また、一のチェーンリンクの２２のノッチ２２ｆ，２２ｆのうち下流側のノッチ（図３の右側のノッチ）２２ｆの円弧面２２ｇとこのノッチ２２ｆに進入する係合ピン３０との間、及び、当該係合ピン３０のピンホイール５Ａの回転方向側には、隙間Ｓがそれぞれ設けられている。
【００４１】
そして、無端チェーン２は、図２に示すように、ピンホイール５Ａに掛け回されている箇所において、その外周面が円弧状を成している。
【００４２】
また、本実施形態の汚泥掻寄機１００にあっては、無端チェーン２がピンホイール５Ａに掛け回されている箇所に対して、当該無端チェーン２の歯飛び現象（脱輪）を防止すべく、当該無端チェーン２を覆うようにチェーンガード２３が設けられている。このチェーンガード２３の内面は、上述した無端チェーン２の円弧状の外周面に対応する円弧状を成している。
【００４３】
また、前述したフライト１０は、図４に示すように、その端部が、無端チェーン２を構成するチェーンリンク２２の側面（平板部２２ｄの側面）に取り付けられている。具体的には、フライト１０は、主フライト１０ａが、一対の無端チェーン２を構成するチェーンリンク２２の内側の側面（平板部２２ｄの側面）同士の間に配置されると共に、副フライト１０ｂが、チェーンリンク２２の外側の側面（平板部２２ｄの側面）から槽１の側壁近傍に延びるように配置される。そして、図５（ｂ）に示す各ボルト孔２２ｅにボルト４０がそれぞれ通され、当該ボルト４０により、フライト１０ａ，１０ｂがチェーンリンク２２の両側面２２ｄ，２２ｄにそれぞれ共締めされている。すなわち、フライト１０は、チェーンリンク２２の上面からではなく側面から側方に突出している。
【００４４】
このように構成された汚泥掻寄機１００によれば、図１に示すように、モータ７の駆動により、モータ用ピンホイール７Ａ、駆動用チェーン８、モータ用ピンホイール５Ｂを介して駆動軸５が図１の時計回りに回転し、これにより、無端チェーン２が、ホイール５Ａ，６Ａ，３Ａ，４Ａの順に構成される軌道を周回し（矢印参照）、フライト１０は、槽１の底１Ｂ及び水面１Ａに沿って移動し、槽１の底１Ｂに堆積した汚泥等の堆積物を掻き寄せて汚泥収集ピット１Ｃに収集すると共に、水面１Ａに浮遊した浮遊物を掻き寄せてスカムパイプ９で回収することができる。
【００４５】
このような汚泥掻寄機１００の運転に際して、無端チェーン２には外力が作用し、連結ピン２１に対して剪断力が作用する。
【００４６】
ここで、本実施形態の無端チェーン２にあっては、図４に示すように、チェーンリンク２２の両側の端部に、同一形状のチェーンリンク２２を相互に連結するための凸部２２ａが幅方向に沿って２個以上離間してそれぞれ設けられると共に、これらの両側の凸部２２ａは平面視において幅方向に沿って千鳥状に配列され、一のチェーンリンク２２の一方側の端部の凸部２２ａ，２２ａ同士の間に、隣のチェーンリンク２２の他方側の凸部２２ａが進入し、これらの凸部２２ａ，２２ａに連結ピン２１が通されて互いに回転可能に連結される構成のため、剪断力が作用する凸部２２ａ，２２ａ同士の合わせ面（幅方向の対向面；図示一点鎖線の囲みＸ参照）が、従来の２箇所から４箇所に増やされており、これにより、連結ピン２１に作用する剪断力が従来に比して分散され、その結果、連結ピン２１の剪断強度を上げることができる。なお、凸部２２ａの個数を上記より増やすことにより、合わせ面の箇所をさらに増やし、連結ピン２１の剪断強度を一層上げることも可能である。
【００４７】
また、本実施形態の汚泥掻寄機１００によれば、ピンホイール５Ａの正転時に、ピンホイール５Ａが図１の時計回りに回転し、このとき、一のチェーンリンク２２の進行方向上流側のノッチ（図３の一のチェーンリンク２２の左側のノッチ）２２ｆの円弧面２２ｇとこのノッチ２２ｆに進入する係合ピン３０とがピンホイール５Ａの回転方向に係合する一方で、一のチェーンリンク２２の進行方向下流側のノッチ（図３の右側のノッチ）２２ｆとこのノッチ２２ｆに進入する係合ピン３０との間においてピンホイール５Ａの回転方向（時計回り方向）に隙間Ｓが設けられているため、ピンホイール５Ａの正転時の回転力が、進行方向上流側のノッチ（図３の左側のノッチ）２２ｆを介して確実にチェーンリンク２２に伝達できる。
【００４８】
また、例えばメンテナンス等でピンホイール５Ａを逆転させる場合には、ピンホイール５Ａを図１の反時計回りに回転させる。すると、一のチェーンリンク２２の進行方向上流側のノッチ（図３で言えば右側のノッチ）２２ｆの円弧面２２ｇとこのノッチ２２ｆに進入する係合ピン３０とがピンホイール５Ａの回転方向に係合する一方で、一のチェーンリンク２２の進行方向下流側のノッチ（図３で言えば左側のノッチ）２２ｆとこのノッチ２２ｆに進入する係合ピン３０との間においてピンホイール５Ａの逆回転方向（反時計回り方向）に隙間Ｓが設けられているため、ピンホイール５Ａの逆転時の回転力が、進行方向上流側のノッチ（図３で言えば右側のノッチ）２２ｆを介して確実にチェーンリンク２２に伝達できる。
【００４９】
このように、ピンホイール５Ａの正転又は逆転時の何れの時であっても、ピンホイール５Ａの回転力を進行方向上流側のノッチ２２ｆを介して確実にチェーンリンク２２に伝達できる。
【００５０】
ここで、ピンホイール５Ａの正転又は逆転時の何れの時であっても、一のチェーンリンク２２の進行方向上流側のノッチ２２ｆに係合ピン３０が係合したときに当該チェーンリンク２２の進行方向下流側が持ち上がろうとする力の方が、一のチェーンリンク２２の進行方向下流側のノッチ２２ｆに係合ピン３０が係合したときに当該チェーンリンク２２の進行方向下流側が持ち上がろうとする力より小さくなる。本実施形態では、上述したように、一のチェーンリンク２２の進行方向上流側のノッチ２２ｆに係合ピン３０が係合することから、無端チェーン２を覆うチェーンガード２３に対して作用する一のチェーンリンク２２の持ち上がり力は小さく、従って、当該チェーンガード２３により無端チェーン２を良好且つ好適に押えることができる。
【００５１】
また、無端チェーン２がピンホイール５Ａに掛け回されている箇所において、当該無端チェーン２の外周面が円弧状を成しているため、円弧状の内面を有するチェーンガード２３によって、無端チェーン２の円弧状の外周面を容易に押えることができる。
【００５２】
さらにまた、チェーンリンク２２の側面にフライト１０（１０ａ，１０ｂ）がボルト締結され、フライト１０がチェーンリンク２２の上面からではなく側面から出ているため、無端チェーン２の周回移動時において、チェーンガード２３に対するフライト１０の干渉を確実に防止できる。
【００５３】
以上、本発明をその実施形態に基づき具体的に説明したが、本発明は上記実施形態に限定されるものではなく、例えば、上記実施形態においては、チェーンガード２３に対して作用するチェーンリンク２２の持ち上がり力を小さくすべく、一のチェーンリンク２２の進行方向上流側のノッチ２２ｆとこのノッチ２２ｆに進入する係合ピン３０とがピンホイール５Ａの回転方向に係合する一方で、一のチェーンリンク２２の下流側のノッチ２２ｆとこのノッチ２２ｆに進入する係合ピン３０との間においてピンホイール５Ａの回転方向に隙間Ｓを有するように構成しているが、一のチェーンリンク２２の進行方向下流側のノッチ２２ｆとこのノッチ２２ｆに進入する係合ピン３０とがピンホイール５Ａの回転方向に係合し、一のチェーンリンク２２のノッチ２２ｆの上流側のノッチ２２ｆとこのノッチ２２ｆに進入する係合ピン３０との間においてピンホイール５Ａの回転方向に隙間Ｓを有するように構成することも可能である。従って、本発明によれば、何れか一方の係合ピン３０がノッチ２２ｆに対してピンホイール５Ａの回転方向に必ず係合することができ、その結果、何れか一方の係合ピン３０によりピンホイール５Ａの回転力を確実にチェーンリンク２２に伝達できる。
【００５４】
また、上記実施形態においては、特に好適であるとして、チェーンリンク２２及び連結ピン２１並びにホイール類を樹脂製としているが、樹脂製以外であっても適用できる。
【００５５】
また、上記実施形態においては、特に好適であるとして、水面１Ａ付近に位置し無端チェーン２の周回方向において上流側の軸を駆動軸５としているが、第３従動軸６を駆動軸とした汚泥掻寄機に対しても適用できる。また、駆動軸のピンホイール以外は、ピンホイールであっても、シーブホイールであっても良い。
【００５６】
また、上記実施形態においては、特に好適であるとして、４軸タイプのチェーンフライト式の汚泥掻寄機に対する適用を述べているが、３軸以上のチェーンフライト式の汚泥掻寄機に対して適用できる。
【符号の説明】
【００５７】
１…槽、１Ｂ…槽の底、２…無端チェーン（チェーン）、３Ａ，４Ａ，６Ａ…シーブホイール（ホイール）、５Ａ…ピンホイール（ホイール）、１０，１０ａ，１０ｂ…フライト、２１…連結ピン、２２…チェーンリンク、２２ａ…凸部、２２ｂ…ピン孔、２２ｆ…ノッチ、２２ｇ…ノッチの円弧面、２３…チェーンガード、３０…係合ピン、４０…ボルト、１００…汚泥掻寄機、Ｓ…隙間。
【図１】
2015016432.tif 000003
【図２】
2015016432.tif 000004
【図３】
2015016432.tif 000005
【図４】
2015016432.tif 000006
【図５】
2015016432.tif 000007
【図６】
2015016432.tif 000008